(57)【要約】【課題】  ビデオ・オーディオデータの予め設定されたサンプリングレートを適用して、ビデオ・オーディオデータを同期化するための標準時間を演算することにより、ビデオ・オーディオデータを同期化する時間を短縮することができる移動通信端末機のビデオ・オーディオデータを同期化する方法を提供する。【解決手段】  移動通信端末機のビデオ・オーディオデータを同期化する方法は、受信されたビデオ・オーディオデータの現在のサンプリングレートと以前のサンプリングレートとが一致するか否かを確認する段階と、前記受信されたビデオ・オーディオデータの現在のサンプリングレートと以前のサンプリングレートとが一致すると、予め設定された比率に基づいて標準時間を演算する段階と、前記演算された標準時間に基づいて前記受信されたビデオ・オーディオデータを同期化する段階とを含む。【選択図】図３
2006014299.tif 000002
【特許請求の範囲】
【請求項１】
受信されたビデオ・オーディオデータの現在のサンプリングレートと以前のサンプリングレートとが一致するか否かを確認する段階と、
前記受信されたビデオ・オーディオデータの現在のサンプリングレートと以前のサンプリングレートとが一致すると、予め設定された比率に基づいて標準時間を演算する段階と、
前記演算された標準時間に基づいて前記受信されたビデオ・オーディオデータを同期化する段階と、
を含むことを特徴とする移動通信端末機のビデオ・オーディオデータを同期化する方法。
【請求項２】
前記ビデオ・オーディオデータが、ＲＴＰパケットであることを特徴とする請求項１に記載の移動通信端末機のビデオ・オーディオデータを同期化する方法。
【請求項３】
前記予め設定された比率が、ＮＴＰタイムスタンプの変化値をＲＴＰタイムスタンプの変化値で除算した値であることを特徴とする請求項１に記載の移動通信端末機のビデオ・オーディオデータを同期化する方法。
【請求項４】
前記ＮＴＰタイムスタンプの変化値が、
【化１】
2006014299.tif 000017
により求められることを特徴とする請求項３に記載の移動通信端末機のビデオ・オーディオデータを同期化する方法。
【請求項５】
前記ＮＴＰタイムスタンプの変化値が、１秒の時間に該当する２３２であることを特徴とする請求項４に記載の移動通信端末機のビデオ・オーディオデータを同期化する方法。
【請求項６】
前記ＲＴＰタイムスタンプの変化値が、
【化２】
2006014299.tif 000018
により求められることを特徴とする請求項３に記載の移動通信端末機のビデオ・オーディオデータを同期化する方法。
【請求項７】
前記ＲＴＰタイムスタンプの変化値が、前記現在のサンプリングレートであることを特徴とする請求項６に記載の移動通信端末機のビデオ・オーディオデータを同期化する方法。
【請求項８】
前記標準時間が、前記ビデオ・オーディオデータを同期化するための絶対的な時間であることを特徴とする請求項１に記載の移動通信端末機のビデオ・オーディオデータを同期化する方法。
【請求項９】
前記受信されたビデオ・オーディオデータの現在のサンプリングレートと以前のサンプリングレートとが一致しないと、ＮＴＰタイムスタンプの変化値及びＲＴＰタイムスタンプの変化値を演算し、前記演算された変化値に基づいて標準時間を演算することを特徴とする請求項１に記載の移動通信端末機のビデオ・オーディオデータを同期化する方法。
【請求項１０】
前記標準時間値が、
【化３】
2006014299.tif 000019
により求められることを特徴とする請求項１に記載の移動通信端末機のビデオ・オーディオデータを同期化する方法。
【請求項１１】
前記標準時間値が、３２ビット値であることを特徴とする請求項１０に記載の移動通信端末機のビデオ・オーディオデータを同期化する方法。
【発明の詳細な説明】
【技術分野】
【０００１】
本発明は、移動通信端末機に関し、特に、ビデオ・オーディオデータを同期化する時間を短縮することができる移動通信端末機のビデオ・オーディオデータを同期化する方法に関する。
【背景技術】
【０００２】
近年、移動通信端末機には、その機能が進歩するにつれて、単純な無線通信機能の他に、カメラ機能、マルチメディア再生機能のような様々な機能が追加されている。このようなカメラ機能とマルチメディア再生機能は、移動通信端末機のディスプレイ装置の改善と高速通信の実現によって次第に大衆化している高級機能であり、高解像度のデジタルカメラとカラーＬＣＤ（Ｌｉｑｕｉｄ  Ｃｒｙｓｔａｌ  Ｄｉｓｐｌａｙ）画面を備えた移動通信端末機は既に一般化してきている。
【０００３】
前記移動通信端末機のカラーＬＣＤ画面には、ＭＰＥＧ−４  Ｃｏｄｅｃ（Ｍｏｖｉｎｇ  Ｐｉｃｔｕｒｅ  Ｅｘｐｅｒｔｓ  Ｇｒｏｕｐ  ｐｈａｓｅ  ４  Ｃｏｄｅｒ  ａｎｄ  Ｄｅｃｏｄｅｒ）により復号化されたストリーミングビデオ・オーディオデータや、カメラから入力されるビデオ・オーディオデータがディスプレイされる。特に、画像通話（Ｖｉｄｅｏ  Ｔｅｌｅｐｈｏｎｙ）のために、カメラから入力されるビデオ・オーディオデータをリアルタイムに送受信できる移動通信端末機の開発が活発に行われている。
【０００４】
前記移動通信端末機は、前記ビデオデータをビデオＲＴＰ（Ｒｅａｌ  Ｔｉｍｅ  Ｐｒｏｔｏｃｏｌ）セッションを通して受信し、前記オーディオデータをオーディオＲＴＰセッションを通して受信するため、前記受信されたビデオ・オーディオデータを同期化しなければならない。
【０００５】
このような従来の移動通信端末機のビデオ・オーディオデータを伝送する原理を図４を参照して説明する。
【０００６】
図４は、従来の移動通信端末機のビデオ・オーディオデータを伝送する原理を説明するための図である。
【０００７】
図４に示すように、従来の移動通信端末機は、ビデオ・オーディオＲＴＰセッションを設定し、前記設定されたビデオ・オーディオＲＴＰセッションを通してビデオ・オーディオＲＴＰパケットを伝送し、前記ビデオ・オーディオＲＴＰパケットを制御するためのビデオ・オーディオＲＴＣＰ（ＲＴＰ  Ｃｏｎｔｒｏｌ  Ｐｒｏｔｏｃｏｌ）セッションを設定し、前記設定されたビデオ・オーディオＲＴＣＰセッションを通してビデオ・オーディオＲＴＣＰパケットを伝送する。ここで、前記ビデオ・オーディオＲＴＣＰパケットとは、ビデオ・オーディオＲＴＣＰ  ＳＲ（Ｓｅｎｄｅｒ  Ｒｅｐｏｒｔ）パケットである。
【０００８】
このような従来の移動通信端末機のビデオ・オーディオデータを同期化する方法を図５を参照して説明する。
【０００９】
図５は、従来の移動通信端末機のビデオ・オーディオデータを同期化する方法のフローを示す図である。
【００１０】
図５に示すように、従来の移動通信端末機のビデオ・オーディオデータを同期化する方法は、設定されたビデオ・オーディオセッションを通してビデオ・オーディオデータを受信する段階（Ｓ２１０）と、前記受信されたビデオ・オーディオデータに基づいて標準時間を演算する段階（Ｓ２２０）と、前記演算された標準時間に基づいて前記受信されたビデオ・オーディオデータを同期化する段階（Ｓ２３０）とを含む。
【００１１】
以下、このような従来の移動通信端末機のビデオ・オーディオデータを同期化する方法をより詳しく説明する。
【００１２】
まず、前記移動通信端末機は、前記設定されたビデオＲＴＰセッション及びビデオＲＴＣＰセッションを通してそれぞれビデオＲＴＰパケット及びビデオＲＴＣＰパケットを受信し、前記設定されたオーディオＲＴＰセッション及びオーディオＲＴＣＰセッションを通してそれぞれオーディオＲＴＰパケット及びオーディオＲＴＣＰパケットを受信する（Ｓ２１０）。
【００１３】
以下、このように受信されるＲＴＰパケット及びＲＴＣＰパケットを伝送する原理を図６を参照して説明する。
【００１４】
図６は、従来のＲＴＰパケット及びＲＴＣＰパケットを伝送する原理を説明するための図である。
【００１５】
図６に示すように、従来の移動通信端末機は、前記ＲＴＰパケットを制御するための前記ＲＴＣＰパケットを周期的に伝送するが、前記ビデオ・オーディオデータを同期化するための前記受信されたＲＴＰパケットの標準時間を求めるとき、最後に受信されたｉ＋１番目のＲＴＣＰパケット及び以前に受信されたｉ番目のＲＴＣＰパケットに基づいて標準時間を演算する。
【００１６】
前記移動通信端末機は、前記受信されたビデオ・オーディオデータを同期化するための標準時間を、前記受信されたビデオ・オーディオＲＴＣＰパケットに基づいて下記式１により演算する（Ｓ２２０）。
（式１）
【００１７】
【数１】
2006014299.tif 000003
ここで、
【００１８】
【化４】
2006014299.tif 000004
は、それぞれｉ番目及びｉ＋１番目のＲＴＣＰパケットに格納されているＲＴＰタイムスタンプであり、
【００１９】
【化５】
2006014299.tif 000005
は、それぞれi番目及びｉ＋１番目のＲＴＣＰパケットに格納されているＮＴＰ（Ｎｅｔｗｏｒｋ  Ｔｉｍｅ  Ｐｒｏｔｏｃｏｌ）タイムスタンプである。
【００２０】
また、前記ＮＴＰタイムスタンプの変化値、及び前記ＲＴＰタイムスタンプの変化値は、下記式２及び３により演算する。
（式２）
【００２１】
【数２】
2006014299.tif 000006
（式３）
【００２２】
【数３】
2006014299.tif 000007
その後、前記移動通信端末機は、前記演算された標準時間に基づいて、前記受信されたビデオ・オーディオデータを同期化する（Ｓ２３０）。
【発明の開示】
【発明が解決しようとする課題】
【００２３】
しかしながら、従来の移動通信端末機のビデオ・オーディオデータを同期化する方法においては、ビデオ・オーディオデータを受信する度に標準時間を演算するため、ＮＴＰタイムスタンプ及びＲＴＰタイムスタンプの変化値が一定であっても、ビデオ・オーディオデータを同期化する時間を短縮することができないという問題点があった。
【００２４】
本発明は、このような従来技術の問題点を解決するためになされたもので、ビデオ・オーディオデータの予め設定されたサンプリングレート（Ｓａｍｐｌｉｎｇ  Ｒａｔｅ）を適用して、ビデオ・オーディオデータを同期化するための標準時間を演算することにより、ビデオ・オーディオデータを同期化する時間を短縮することができる移動通信端末機のビデオ・オーディオデータを同期化する方法を提供することを目的とする。
【課題を解決するための手段】
【００２５】
このような目的を達成するために、本発明による移動通信端末機のビデオ・オーディオデータを同期化する方法は、受信されたビデオ・オーディオデータの現在のサンプリングレートと以前のサンプリングレートとが一致するか否かを確認する段階と、前記受信されたビデオ・オーディオデータの現在のサンプリングレートと以前のサンプリングレートとが一致すると、予め設定された比率に基づいて標準時間を演算する段階と、前記演算された標準時間に基づいて前記受信されたビデオ・オーディオデータを同期化する段階とを含む。
【００２６】
上記目的を達成するために、本発明は、例えば、以下の手段を提供する。
（項目１）
受信されたビデオ・オーディオデータの現在のサンプリングレートと以前のサンプリングレートとが一致するか否かを確認する段階と、
前記受信されたビデオ・オーディオデータの現在のサンプリングレートと以前のサンプリングレートとが一致すると、予め設定された比率に基づいて標準時間を演算する段階と、
前記演算された標準時間に基づいて前記受信されたビデオ・オーディオデータを同期化する段階と、
を含むことを特徴とする移動通信端末機のビデオ・オーディオデータを同期化する方法。
（項目２）
前記ビデオ・オーディオデータが、ＲＴＰパケットであることを特徴とする項目１に記載の移動通信端末機のビデオ・オーディオデータを同期化する方法。
（項目３）
前記予め設定された比率が、ＮＴＰタイムスタンプの変化値をＲＴＰタイムスタンプの変化値で除算した値であることを特徴とする項目１に記載の移動通信端末機のビデオ・オーディオデータを同期化する方法。
（項目４）
前記ＮＴＰタイムスタンプの変化値が、
【００２７】
【化６】
2006014299.tif 000008
により求められることを特徴とする項目３に記載の移動通信端末機のビデオ・オーディオデータを同期化する方法。
（項目５）
前記ＮＴＰタイムスタンプの変化値が、１秒の時間に該当する２３２であることを特徴とする項目４に記載の移動通信端末機のビデオ・オーディオデータを同期化する方法。
（項目６）
前記ＲＴＰタイムスタンプの変化値が、
【００２８】
【化７】
2006014299.tif 000009
により求められることを特徴とする項目３に記載の移動通信端末機のビデオ・オーディオデータを同期化する方法。
（項目７）
前記ＲＴＰタイムスタンプの変化値が、前記現在のサンプリングレートであることを特徴とする項目６に記載の移動通信端末機のビデオ・オーディオデータを同期化する方法。
（項目８）
前記標準時間が、前記ビデオ・オーディオデータを同期化するための絶対的な時間であることを特徴とする項目１に記載の移動通信端末機のビデオ・オーディオデータを同期化する方法。
（項目９）
前記受信されたビデオ・オーディオデータの現在のサンプリングレートと以前のサンプリングレートとが一致しないと、ＮＴＰタイムスタンプの変化値及びＲＴＰタイムスタンプの変化値を演算し、前記演算された変化値に基づいて標準時間を演算することを特徴とする項目１に記載の移動通信端末機のビデオ・オーディオデータを同期化する方法。
（項目１０）
前記標準時間値が、
【００２９】
【化８】
2006014299.tif 000010
により求められることを特徴とする項目１に記載の移動通信端末機のビデオ・オーディオデータを同期化する方法。
（項目１１）
前記標準時間値が、３２ビット値であることを特徴とする項目１０に記載の移動通信端末機のビデオ・オーディオデータを同期化する方法。
【発明の効果】
【００３０】
本発明による移動通信端末機のビデオ・オーディオデータを同期化する方法においては、ビデオ・オーディオデータの予め設定されたサンプリングレートを適用して、ビデオ・オーディオデータを同期化するための標準時間を演算することにより、ビデオ・オーディオデータを同期化する時間を短縮することができるという効果がある。
【発明を実施するための最良の形態】
【００３１】
以下、ビデオ・オーディオデータの予め設定されたサンプリングレートを適用して、ビデオ・オーディオデータを同期化するための標準時間を演算することにより、ビデオ・オーディオデータを同期化する時間を短縮することができる、本発明による移動通信端末機のビデオ・オーディオデータを同期化する方法の好ましい実施形態について添付の図面を参照して説明する。
【００３２】
図１は、本発明による移動通信端末機のビデオ・オーディオデータを送信する過程を示すブロック図である。
【００３３】
図１に示すように、本発明による移動通信端末機は、ビデオ・オーディオデータを送信するためのビデオ・オーディオＲＴＰセッションを設定し、前記設定されたビデオ・オーディオＲＴＰセッションを通して前記ビデオ・オーディオデータを複数のビデオ・オーディオＲＴＰパケットで送信すると共に、前記各ビデオ・オーディオＲＴＰパケットを制御するためのビデオ・オーディオＲＴＣＰセッションを設定し、前記設定されたビデオ・オーディオＲＴＣＰセッションを通して前記各ビデオ・オーディオＲＴＰパケットを制御するための複数のビデオ・オーディオＲＴＣＰパケットを送信する。ここで、前記ビデオ・オーディオＲＴＣＰパケットとは、ビデオ・オーディオＲＴＣＰ  ＳＲパケットである。
【００３４】
このように、前記ビデオ・オーディオデータは、それぞれ前記設定されたビデオ・オーディオＲＴＰセッションを通して複数のビデオ・オーディオＲＴＰパケットに分解（ｐａｃｋｅｔｉｚａｔｉｏｎ）されて伝送されるため、受信側の移動通信端末機は、前記伝送された複数のビデオ・オーディオＲＴＰパケットを組み立て（ｄｅｐａｃｋｅｔｉｚａｔｉｏｎ）、組み立てられたビデオ・オーディオデータを同期化する。
【００３５】
以下、このような本発明による移動通信端末機のビデオ・オーディオデータを受信する過程を図２を参照して説明する。
【００３６】
図２は、本発明による移動通信端末機のビデオ・オーディオデータを受信する過程を示すブロック図である。
【００３７】
図２に示すように、本発明による移動通信端末機は、受信された複数のビデオ・オーディオＲＴＰパケットをビデオ・オーディオデータに組み立て、組み立てられたビデオ・オーディオデータを同期化するための標準時間を演算し、前記演算された標準時間に基づいて前記組み立てられたビデオ・オーディオデータを同期化する。
【００３８】
以下、本発明による移動通信端末機のビデオ・オーディオデータを同期化する方法を説明する。
【００３９】
まず、前記移動通信端末機は、前記設定されたビデオＲＴＰセッション及びビデオＲＴＣＰセッションを通してそれぞれ複数のビデオＲＴＰパケット及び複数のビデオＲＴＣＰパケットを受信し、前記設定されたオーディオＲＴＰセッション及びオーディオＲＴＣＰセッションを通してそれぞれ複数のオーディオＲＴＰパケット及び複数のオーディオＲＴＣＰパケットを受信する。ここで、前記ビデオ・オーディオＲＴＣＰパケットとは、ビデオ・オーディオＲＴＣＰ  ＳＲパケットである。
【００４０】
前記移動通信端末機は、前記受信された複数のビデオ・オーディオＲＴＰパケットをビデオ・オーディオデータに組み立ててバッファに保存する。
【００４１】
ここで、前記移動通信端末機は、前記受信された複数のビデオ・オーディオＲＴＣＰパケットに含まれたＮＴＰタイムスタンプの値及びＲＴＰタイムスタンプの値に基づいて、前記組み立てられたビデオ・オーディオデータを同期化する。
【００４２】
以下、前記ビデオ・オーディオデータを同期化する方法を図３を参照して説明する。
【００４３】
図３は、本発明による移動通信端末機のビデオ・オーディオデータを同期化する方法のフローを示す図である。
【００４４】
図３に示すように、本発明による移動通信端末機のビデオ・オーディオデータを同期化する方法は、設定されたセッションを通してビデオ・オーディオデータを受信する段階（Ｓ５１０）と、受信されたビデオ・オーディオデータの現在のサンプリングレートと以前のサンプリングレートとが一致するか否かを確認する段階（Ｓ５２０）と、前記受信されたビデオ・オーディオデータの現在のサンプリングレートと以前のサンプリングレートとが一致すると、予め設定された比率に基づいて標準時間を演算する段階（Ｓ５３０）と、前記演算された標準時間に基づいて前記ビデオ・オーディオデータを同期化する段階（Ｓ５６０）とを含む。
【００４５】
ここで、前記移動通信端末機は、前記受信されたビデオ・オーディオデータの現在のサンプリングレートと以前のサンプリングレートとが一致しないと、ＮＴＰタイムスタンプの変化値及びＲＴＰタイムスタンプの変化値を演算し（Ｓ５４０）、前記演算されたＮＴＰタイムスタンプの変化値及びＲＴＰタイムスタンプの変化値に基づいて標準時間を演算する（Ｓ５５０）。
【００４６】
以下、このような本発明による移動通信端末機のビデオ・オーディオデータを同期化する方法をより詳しく説明する。
【００４７】
まず、前記移動通信端末機は、前記設定されたビデオＲＴＰセッションを通してビデオＲＴＰパケットを受信し、前記設定されたビデオＲＴＣＰセッションを通してビデオＲＴＣＰパケットを受信し、前記設定されたオーディオＲＴＰセッションを通してオーディオＲＴＰパケットを受信し、前記設定されたオーディオＲＴＣＰセッションを通してオーディオＲＴＣＰパケットを受信する（Ｓ５１０）。
【００４８】
前記移動通信端末機は、前記受信されたビデオ・オーディオＲＴＣＰパケットに基づいて前記ビデオ・オーディオデータの現在のサンプリングレートと以前のサンプリングレートとが一致するか否かを確認する（Ｓ５２０）。即ち、前記移動通信端末機は、前記現在のサンプリングレートと前記以前のサンプリングレートとが一致しないと、前記ＮＴＰタイムスタンプの変化値及び前記ＲＴＰタイムスタンプの変化値を前記式２及び３により演算し（Ｓ５４０）、前記ビデオ・オーディオデータを同期化するための標準時間を、前記演算されたＮＴＰタイムスタンプの変化値及びＲＴＰタイムスタンプの変化値に基づいて前記式１により演算する（Ｓ５５０）。
【００４９】
反面、前記移動通信端末機は、前記現在のサンプリングレートと前記以前のサンプリングレートとが一致すると、前記予め設定された比率に基づいて標準時間を演算する（Ｓ５３０）。ここで、前記予め設定された比率とは、ＮＴＰタイムスタンプの変化値をＲＴＰタイムスタンプの変化値で除算した値
【００５０】
【化９】
2006014299.tif 000011
である。
【００５１】
例えば、前記ビデオデータのサンプリングレートが９０ｋＨｚであり、前記オーディオデータのサンプリングレートが８ｋＨｚであると、前記ビデオデータに対する予め設定された比率、及び前記オーディオデータに対する予め設定された比率は、それぞれ下記式４及び５のように求められる。
（式４）
【００５２】
【数４】
2006014299.tif 000012
（式５）
【００５３】
【数５】
2006014299.tif 000013
その後、前記移動通信端末機は、前記ビデオ・オーディオデータを同期化するための標準時間を、前記予め設定された比率に基づいて下記式６及び７により求める。
（式６）
【００５４】
【数６】
2006014299.tif 000014
（式７）
【００５５】
【数７】
2006014299.tif 000015
次に、前記移動通信端末機は、前記演算された標準時間に基づいて、前記受信されたビデオ・オーディオデータを同期化する（Ｓ５６０）。即ち、前記移動通信端末機は、前記ビデオ・オーディオＲＴＰパケットを受信する度に前記予め設定された比率を適用することによって、前記の比率
【００５６】
【化１０】
2006014299.tif 000016
を毎回演算しなくてもよいので、前記ビデオ・オーディオデータを同期化するための標準時間を演算する時間を短縮することができる。
【００５７】
また、前記移動通信端末機は、前記ビデオ・オーディオデータを同期化するための標準時間を演算する時間を短縮するために、６４ビットのＮＴＰタイムスタンプの値を、３２ビットのＲＴＰタイムスタンプの値と同様に３２ビットにスケーリングすることができる。例えば、６４ビットのＮＴＰタイムスタンプの値から最上位の１０ビットの値と最下位の２２ビットの値を捨てることにより、３２ビットにスケーリングする。
【００５８】
従って、前記移動通信端末機は、６４ビット演算又は構造体を利用した３２ビット演算を繰り返すことなく実現することができるため、構造を単純化するだけでなく、演算量を減らすことができる。
【００５９】
その後、前記移動通信端末機は、前記組み立てられたビデオ・オーディオデータを前記バッファに保存し、前記保存されたビデオ・オーディオデータを復号化することにより、前記復号化されたビデオ・オーディオデータをディスプレイ装置（例えば、ＬＣＤ）に表示する。
【００６０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６１】
ビデオ・オーディオデータの予め設定されたサンプリングレートを適用して、ビデオ・オーディオデータを同期化するための標準時間を演算することにより、ビデオ・オーディオデータを同期化する時間を短縮することができる移動通信端末機のビデオ・オーディオデータを同期化する方法を提供する。
【００６２】
移動通信端末機のビデオ・オーディオデータを同期化する方法は、受信されたビデオ・オーディオデータの現在のサンプリングレートと以前のサンプリングレートとが一致するか否かを確認する段階と、前記受信されたビデオ・オーディオデータの現在のサンプリングレートと以前のサンプリングレートとが一致すると、予め設定された比率に基づいて標準時間を演算する段階と、前記演算された標準時間に基づいて前記受信されたビデオ・オーディオデータを同期化する段階とを含む。
【図面の簡単な説明】
【００６３】
【図１】本発明による移動通信端末機のビデオ・オーディオデータを送信する過程を示すブロック図である。
【図２】本発明による移動通信端末機のビデオ・オーディオデータを受信する過程を示すブロック図である。
【図３】本発明による移動通信端末機のビデオ・オーディオデータを同期化する方法のフローを示す図である。
【図４】従来の移動通信端末機のビデオ・オーディオデータを伝送する原理を説明するための図である。
【図５】従来の移動通信端末機のビデオ・オーディオデータを同期化する方法のフローを示す図である。
【図６】従来のＲＴＰパケット及びＲＴＣＰパケットを伝送する原理を説明するための図である。
【図１】
2006014299.tif 000020
【図２】
2006014299.tif 000021
【図３】
2006014299.tif 000022
【図４】
2006014299.tif 000023
【図５】
2006014299.tif 000024
【図６】
2006014299.tif 000025